(57)【要約】      （修正有）【課題】一般入賞口に遊技球が入った場合についても演出を生じさせ、遊技者に高揚感を与えることが可能な遊技機を提供する。【解決手段】特定入賞口と一般入賞口が設けられた遊技盤に遊技球を発射して遊技を行う遊技機であって、遊技盤上に設けられ、一方端から他方端に向かって下るように設けられた斜面を有する第１の傾斜通路と、第１の傾斜通路の他方端の近傍であって、該他方端を基準に第１の傾斜通路の一方端と反対側において、第１の傾斜通路の他方端よりも重力方向下側に設けられた第１の一般入賞口と、第１の傾斜通路の他方端よりも重力方向下側に設けられた一方端から他方端に向かって下るように設けられた斜面を有する第２の傾斜通路と、第１の傾斜通路上を移動している遊技球を該第１の傾斜通路の他方端まで移動させる状態と、遊技球を第２の傾斜通路に移動させる状態とに振り分ける振り分け機構５０とを備える。【選択図】図２
2017221605.tif 000002
【特許請求の範囲】
【請求項１】
特定入賞口と一般入賞口が設けられた遊技盤に遊技球を発射して遊技を行う遊技機であって、
前記遊技盤上に設けられ、一方端から他方端に向かって下るように設けられた斜面を有する第１の傾斜通路と、
前記第１の傾斜通路の他方端の近傍であって、該他方端を基準に前記第１の傾斜通路の一方端と反対側において、前記第１の傾斜通路の他方端よりも重力方向下側に設けられた第１の一般入賞口と、
前記第１の傾斜通路の他方端よりも重力方向下側に設けられた一方端から他方端に向かって下るように設けられた斜面を有する第２の傾斜通路と、
前記第１の傾斜通路上を移動している遊技球を該第１の傾斜通路の他方端まで移動させる状態と、遊技球を前記第２の傾斜通路に移動させる状態とに振り分ける振り分け機構とを備えることを特徴とする、遊技機。
【請求項２】
前記第２の傾斜通路の他方端の近傍であって、該他方端を基準に前記第２の傾斜通路の一方端と反対側において、前記第２の傾斜通路の他方端よりも重力方向下側に設けられた第２の一般入賞口を備え、
前記第１の一般入賞口および前記第２の一般入賞口は互いに賞球数が異なることを特徴とする、請求項１に記載の遊技機。
【発明の詳細な説明】
【技術分野】
【０００１】
本発明は、遊技機に関する。
【背景技術】
【０００２】
パチンコ機とも呼ばれる遊技機においては、操作ハンドルの回動操作により遊技球が遊技盤に発射され、遊技盤に打ち込まれた釘や回転部材などに接触しながら落下し、遊技盤に設けられた特定入賞口（始動口）や一般入賞口に遊技球が入ることで、所定数の賞球が払い出される。そして、特定入賞口に遊技球が入ると、遊技機の内部では、大当たり抽せんが行われる。また、特定入賞口に遊技球が入ると同時に映像表示装置に表示された図柄が変動し、大当たり抽せんに当選した場合、例えば、停止図柄が揃うなどして、大当たり状態が発生する。
【０００３】
しかしながら一般入賞口は、特定入賞口と比較すると大当たり抽せんなどの演出が無く、単純で面白味が無いと言える。そこで、一般入賞口に比べて特定入賞口により多くの遊技球を誘導するように遊技釘の調整が行われることがあった。
【０００４】
ここで、特許文献１には、いわゆるハネモノと呼ばれる遊技機において、入賞装置内に複数のステージを有し、ステージの途中に利益の異なる複数の入賞口を有するものが開示されている。また特許文献２には、特定遊技状態検出手段（検出スイッチ）からの検出信号に基づいて、特別遊技の最大継続回数を決定する最大継続回数決定手段として、回転部材と各入賞口を備える分別装置や、三段の球通路の終端部に各入賞口を開口させた分別装置が開示されている。
【先行技術文献】
【特許文献】
【０００５】
【特許文献１】特開２００５−３０４５５６号公報
【特許文献２】特開平７−１８５０７８号公報
【発明の概要】
【発明が解決しようとする課題】
【０００６】
しかしながら特許文献１、２に示されたものは、いずれも大当たり状態の継続回数を変化させるものであり、一般入賞口についての演出は考慮されていない。このため、一般入賞口について何かしら面白味を感じられる演出が求められる。
【０００７】
本発明は上記事情に鑑み、一般入賞口に遊技球が入った場合についても演出を生じさせ、遊技者に高揚感を与えることが可能な遊技機を提供することを目的とする。
【課題を解決するための手段】
【０００８】
上記課題を解決するために、本発明によれば、特定入賞口と一般入賞口が設けられた遊技盤に遊技球を発射して遊技を行う遊技機であって、前記遊技盤上に設けられ、一方端から他方端に向かって下るように設けられた斜面を有する第１の傾斜通路と、前記第１の傾斜通路の他方端の近傍であって、該他方端を基準に前記第１の傾斜通路の一方端と反対側において、前記第１の傾斜通路の他方端よりも重力方向下側に設けられた第１の一般入賞口と、前記第１の傾斜通路の他方端よりも重力方向下側に設けられた一方端から他方端に向かって下るように設けられた斜面を有する第２の傾斜通路と、前記第１の傾斜通路上を移動している遊技球を該第１の傾斜通路の他方端まで移動させる状態と、遊技球を前記第２の傾斜通路に移動させる状態とに振り分ける振り分け機構とを備えることを特徴とする、遊技機が提供される。
【発明の効果】
【０００９】
本発明によれば、一般入賞口に入る遊技球が、振り分け装置において各傾斜通路に移動しながら、複数の一般入賞口に選択的に入っていく様子が遊技者から視認可能である。そのため、一般入賞口に遊技球が入った場合について演出を生じさせることができ、特定入賞口に遊技球が入るまでの間においても、遊技者に高揚感を与えることが可能となる。
【図面の簡単な説明】
【００１０】
【図１】本発明の一実施形態に係るパチンコ機の外観構成を例示する図である。
【図２】本発明の一実施形態に係るパチンコ機が備える振り分け装置の構成を例示する図である。
【図３】本発明の一実施形態に係る振り分け装置に設けられた振り分け機構の動作説明図であり、移動部によって遊技球を次の下段の傾斜通路に移動させる状態の説明図である。
【図４】本発明の一実施形態に係る振り分け装置に設けられた振り分け機構の動作説明図であり、移動部によって遊技球を次の下段の傾斜通路に移動させる状態を上から見た説明図である。
【図５】本発明の一実施形態に係る振り分け装置に設けられた振り分け機構の動作説明図であり、通過部によって遊技球をそのまま通過させる状態の説明図である。
【図６】本発明の一実施形態に係る振り分け装置に設けられた振り分け機構の動作説明図である。
【発明を実施するための形態】
【００１１】
以下、本発明の一実施形態について、図面を参照しながら説明する。なお、本明細書および図面において、実質的に同一の機能構成を有する要素においては、同一の符号を付することにより重複説明を省略する。
【００１２】
（パチンコ機の外観構成）
図１は、本発明の一実施形態に係る遊技機の一例としてのパチンコ機１の外観構成を例示する図である。図１に示されるように、パチンコ機１は、前面枠１０の背面側に前面ガラス枠１１が取り付けられ、前面枠１０および前面ガラス枠１１は一体となって図１において左方向に開くように回動可能に取り付けられている。また、前面ガラス枠１１の内側には、遊技盤１２が設けられている。
【００１３】
遊技盤１２には、大当たり抽せんの結果等を示す様々な演出が施された映像を表示するディスプレイ１３、遊技球の入球が大当たり抽せんの契機となる特定入賞口としての始動口１４、大当たり発生時に開放される大入賞口１５、振り分け装置１６が設けられている。後述するように、振り分け装置１６の内部には、複数の一般入賞口４５、４６、４７が設けられており、振り分け装置１６に入った遊技球ａは、振り分け装置１６の内部に設けられた複数の一般入賞口４５、４６、４７のいずれかに入ることとなる。また、遊技盤１２の最下部には、始動口１４、大入賞口１５および振り分け装置１６の何れにも入らなかった遊技球ａを排出させる排出口１７が設けられている。
【００１４】
遊技球ａは、図１において遊技盤１２の左下部分から、遊技盤１２の左側面に沿って発射される。発射された遊技球ａは、遊技盤１２の上部に達した後、釘２０や風車２１等に当たりながら落下し、始動口１４、大入賞口１５または振り分け装置１６の何れかに入るか、何れにも入らない場合には排出口１７から排出される。
【００１５】
前面枠１０の下に設けられている下部パネル２５には、パチンコ機１から払い出される遊技球ａを貯留する上受皿２６及び下受皿２７が配置されている。上受皿２６には、球貸し／返却ボタン３０、十字キー３１、操作ボタン３２が設けられている。また、下部パネル２５には、遊技球ａを発射するための操作ハンドル３３が回動可能に設けられている。
【００１６】
パチンコ機１では、遊技者が球貸しボタン３０を押下すると、遊技球ａが上受皿２６に貸与される。遊技者は、操作ハンドル３３を操作することで、貸与された遊技球ａを遊技盤１２に打ち出すことができる。打ち出された遊技球ａが始動口１４に入ると、パチンコ機１の内部において大当たり抽せんが行われる。
【００１７】
大当たり抽せんの結果は、ディスプレイ１３に様々な演出を伴って表示される。大当たりの場合には、例えばディスプレイ１３に表示される複数の図柄のうち、停止した全ての図柄が揃うことで、遊技者に大当たりしたことが告知され、大当たり状態が発生する。ディスプレイ１３に表示される様々な演出において、例えば十字キー３１や操作ボタン３２を用いた遊技者による操作が促される場合もある。
【００１８】
（振り分け装置の構成）
図２は、本発明の一実施形態に係るパチンコ機１が備える振り分け装置１６の構成を例示する図である。図２に示すように、振り分け装置１６は、透明な樹脂製のケーシング４０の上方に、遊技球ａを受け入れる開口部４１を有している。ケーシング４０の内部には、遊技球ａを移動させる複数の傾斜通路が上下段に配置されている。この実施の形態では、一例としてケーシング４０の内部に、上段傾斜通路４２、中段傾斜通路４３、下段傾斜通路４４という３つの傾斜通路が設けられている。
【００１９】
上段傾斜通路４２と下段傾斜通路４４は、図２中において、左側が高く、右側が低くなるように傾斜して設けられている。したがって、これら上段傾斜通路４２上と下段傾斜通路４４上では、遊技球ａは図中の左から右に向かって転がりながら移動していく。一方、中段傾斜通路４３は、図２中において、右側が高く、左側が低くなるように傾斜して設けられている。したがって、中段傾斜通路４３上では、遊技球ａは図中の右から左に向かって転がりながら移動していく。
【００２０】
上段傾斜通路４２、中段傾斜通路４３、下段傾斜通路４４のそれぞれの終端近傍においては、各傾斜通路４２，４３，４４の終端を基準とした重力方向の下側に一般入賞口４５、４６、４７がそれぞれ配置されている。ここで、各傾斜通路の終端とは、各傾斜通路の低所側の端を指し、上段傾斜通路４２の終端は上段傾斜通路４２の右端であり、中段傾斜通路４３の終端は中段傾斜通路４３の左端であり、下段傾斜通路４４の終端は下段傾斜通路４４の右端である。即ち、一般入賞口４５は上段傾斜通路４２の終端近傍において該終端の重力方向下側に設けられ、一般入賞口４６は中段傾斜通路４３の終端近傍において該終端の重力方向下側に設けられ、一般入賞口４７は下段傾斜通路４４の終端近傍において該終端の重力方向下側に設けられている。
【００２１】
始動口１４（特定入賞口）と異なり、一般入賞口４５、４６、４７に遊技球ａが入球しても、大当たり抽せんの契機にはならない。また、この実施の形態では、一般入賞口４５、４６、４７は互いに賞球数が異なった設定となっており、下段にある一般入賞口ほど賞球数が多く設定されている。例えば、上段傾斜通路４２の終端近傍に設けられた一般入賞口４５の賞球数は５個、中段傾斜通路４３の終端近傍に設けられた一般入賞口４６の賞球数は１０個、下段傾斜通路４４の終端近傍に設けられた一般入賞口４７の賞球数は１５個である。
【００２２】
上段傾斜通路４２には、振り分け機構５０が設けられており、同様に、中段傾斜通路４３には、振り分け機構５１が設けられている。なお、最下段にある下段傾斜通路４４には振り分け機構は設けられていない。振り分け機構５０と振り分け機構５１は基本的に同様の構成を有するので、上段傾斜通路４２に設けられた振り分け機構５０について代表して説明する。
【００２３】
図３〜５は、本発明の一実施形態に係る振り分け機構５０の動作説明図であり、図３は遊技球ａを次の下段の中段傾斜通路４３に移動させる状態の説明図、図４は同状態を上から見た説明図である。図５は遊技球ａをそのまま通過させる状態の説明図である。
【００２４】
これら図３〜５に示すように、振り分け機構５０は、上段傾斜通路４２を移動する遊技球ａを次の下段の中段傾斜通路４３に移動させる移動部５５と、上段傾斜通路４２を移動する遊技球ａをそのまま通過させる通過部５６を備える回転体５７を有している。回転体５７は、軸５８によって一定の速度で回転させられている。移動部５５と通過部５６は軸５８を挟んで回転体５７における互いに反対となる位置に配置されている。回転体５７の回転に伴って、図３、４に示すように上段傾斜通路４２の上面に移動部５５が近づいた状態と、図５に示すように上段傾斜通路４２の上面から移動部５５が上方に離れて通過部５６が上段傾斜通路４２の上面に近づいた状態とに交互に切り替えられている。
【００２５】
このため、図３、４に示すように上段傾斜通路４２の上面に移動部５５が近づいた状態では、上段傾斜通路４２を転がって移動してきた遊技球ａは、移動部５５の表面にぶつかって跳ね返り、上段傾斜通路４２の前面側に設けられた切欠き溝６０から落下し、次の下段の中段傾斜通路４３に移動させられる。一方、図５に示すように上段傾斜通路４２の上面から移動部５５が上方に離れて通過部５６が上段傾斜通路４２の上面に近づいた状態では、上段傾斜通路４２を転がって移動してきた遊技球ａは、そのまま通過部５６を通過して上段傾斜通路４２の終端まで移動し、上段傾斜通路４２の終端近傍に設けられた一般入賞口４５に入ることとなる。
【００２６】
代表して、上段傾斜通路４２に設けられた振り分け機構５０について説明したが、中段傾斜通路４３に設けられた振り分け機構５１も、振り分け機構５０と同様の構成を有しており、中段傾斜通路４３を転がって移動してきた遊技球ａは、振り分け機構５１によって、次の下段の下段傾斜通路４４に移動させられる状態と、中段傾斜通路４３の終端まで移動し、中段傾斜通路４３の終端近傍に設けられた一般入賞口４６に入る状態とに切り替えられる。振り分け機構５１の各構成要素については、振り分け機構５０の各構成要素と共通の符号を付することにより、重複説明を省略する。
【００２７】
最下段にある下段傾斜通路４４には振り分け機構がなく、下段傾斜通路４４を転がって移動してきた遊技球ａは、そのまま下段傾斜通路４４の終端まで移動し、下段傾斜通路４４の終端近傍に設けられた一般入賞口４７に入ることとなる。
【００２８】
（パチンコ機の作用）
以上のように構成された本発明の一実施形態に係る遊技機の一例としてのパチンコ機１において、遊技者が操作ハンドル３３を操作することで、遊技球ａが遊技盤１２に打ち出される。そして、打ち出された遊技球ａが始動口１４に入ると、大当たり抽せんが行われる。また、始動口１４に遊技球ａが入ると同時にディスプレイ１３に表示された図柄が変動し、大当たり抽せんに当選した場合、例えば、停止図柄が揃うなどして、大当たり状態が発生し大入賞口１５が開放される。このように、始動口１４に遊技球ａが入った場合は、様々な演出によって、遊技者に高揚感を与えることができる。
【００２９】
一方、打ち出された遊技球ａが振り分け装置１６の開口部４１に入ると、遊技球ａは、先ず上段傾斜通路４２上を左から右に向かって転がりながら移動していく。そして、上段傾斜通路４２を転がって移動してきた遊技球ａは、振り分け機構５０によって、次の下段の中段傾斜通路４３に移動させられる状態と、上段傾斜通路４２の終端まで移動し、上段傾斜通路４２の終端近傍に設けられた一般入賞口４５に入る状態とに切り替えられる。そして、上段傾斜通路４２の終端近傍に設けられた一般入賞口４５に遊技球ａが入った場合は、例えば賞球数５個の遊技球ａが上受皿２６もしくは下受皿２７に払い出される。
【００３０】
また、振り分け機構５０によって遊技球ａが次の下段の中段傾斜通路４３に移動させられた場合は、遊技球ａはさらに中段傾斜通路４３上を右から左に向かって転がりながら移動していく。そして、中段傾斜通路４３を転がって移動してきた遊技球ａは、振り分け機構５１によって、次の下段の下段傾斜通路４４に移動させられる状態と、中段傾斜通路４３の終端まで移動し、中段傾斜通路４３の終端近傍に設けられた一般入賞口４６に入る状態とに切り替えられる。そして、中段傾斜通路４３の終端に設けられた一般入賞口４６に遊技球ａが入った場合は、例えば賞球数１０個の遊技球ａが上受皿２６もしくは下受皿２７に払い出される。
【００３１】
また、振り分け機構５１によって遊技球ａが次の下段の下段傾斜通路４４に移動させられた場合は、遊技球ａはさらに下段傾斜通路４４上を左から右に向かって転がりながら移動していく。そして、下段傾斜通路４４を転がって移動してきた遊技球ａは、そのまま下段傾斜通路４４の終端まで移動し、下段傾斜通路４４の終端近傍に設けられた一般入賞口４７に入る。こうして、例えば賞球数１５個の遊技球ａが上受皿２６もしくは下受皿２７に払い出される。
【００３２】
このパチンコ機１にあっては、振り分け装置１６のケーシング４０が透明であり、振り分け装置１６の内部において、振り分け機構５０によって適宜振り分けられながら、複数の一般入賞口４５、４６、４７に選択的に入っていく様子が遊技者から視認可能である。また、各一般入賞口４５、４６、４７は賞球数が異なり、下段になるほど賞球数が多く設定されている。このため、振り分け装置１６の内部のより下段に遊技球ａが移動していくような期待感を遊技者に対して抱かせることができ、さらに賞球数が決定される過程を遊技者に見せて遊技性を高めることが可能である。そのため、一般入賞口４５、４６、４７に遊技球が入っていく場合についても演出を生じさせることができ、特定入賞口１４に遊技球ａが入るまでの間においても、遊技者に高揚感を与えることが可能となる。
【００３３】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００３４】
図６は、本発明の一実施形態に係る振り分け装置１６に設けられた振り分け機構７０の動作説明図である。この振り分け機構７０は、軸７１に振り分け部材７２が取り付けられており、軸７１の回動によって、図６中の実線で示したように、振り分け部材７２が上段傾斜通路４２の上面に近づいた状態と、図６中の一点鎖線で示したように、振り分け部材７２が上段傾斜通路４２の上面から上方に離れた状態に切り替えられる。そして、図６中の実線で示したように、振り分け部材７２が上段傾斜通路４２の上面に近づいた状態では、上段傾斜通路４２を転がって移動してきた遊技球ａは、振り分け部材７２にぶつかって跳ね返り、上段傾斜通路４２の前面側に設けられた切欠き溝６０から落下し、次の下段の中段傾斜通路４３に移動させられる。一方、図６中の一点鎖線で示したように、振り分け部材７２が上段傾斜通路４２の上面から上方に離れた状態では、上段傾斜通路４２を転がって移動してきた遊技球ａは、そのまま上段傾斜通路４２の終端まで移動し、上段傾斜通路４２の終端近傍に設けられた一般入賞口４５に入ることとなる。なお、上段傾斜通路４２に設けられた振り分け機構７０について説明したが、中段傾斜通路４３に同様の振り分け機構７０を設けることもできる。
【００３５】
なお、本発明の遊技機はいわゆるハネモノと呼ばれるパチンコ機にも同様に適用できる。また、振り分け装置の内部に３段の傾斜通路と３つの一般入賞口が設けられた例を説明したが、傾斜通路と一般入賞口の数は複数であれば任意である。  
【符号の説明】
【００３６】
１  パチンコ機（遊技機）
１２  遊技盤
１４  始動口（特定入賞口）
４２  上段傾斜通路
４３  中段傾斜通路
４４  下段傾斜通路
４５、４６、４７  一般入賞口
５０、５１  振り分け機構
ａ  遊技球
【図１】
2017221605.tif 000003
【図２】
2017221605.tif 000004
【図３】
2017221605.tif 000005
【図４】
2017221605.tif 000006
【図５】
2017221605.tif 000007
【図６】
2017221605.tif 000008